(57)【要約】【課題】  電子マネー記憶媒体の識別子で入退場を管理する。【解決手段】  時刻を計時する計時手段と、電子マネー記憶媒体に記憶する識別子を取得する識別子取得手段と、前記取得手段により取得した識別子が、識別子と識別子を取得した時間とを対応付けて記憶する識別子記憶部に記憶されているかを検知する検知手段と、前記検知手段により記憶されていると検知すると、前記取得手段により取得した識別子に対応する入場時間を前記識別子記憶部から取得する時間取得手段と、前記時間取得手段により取得した時間と、施設の使用料金を記憶する料金記憶部とから料金を算出する算出手段と、前記算出手段により算出された料金を、前記電子マネー記憶媒体から精算する精算手段と、  を有することを特徴とする商品データ処理装置。【選択図】図４
2012027625.tif 000002
【特許請求の範囲】
【請求項１】
時刻を計時する計時手段と、
電子マネー記憶媒体に記憶する識別子を取得する識別子取得手段と、
前記取得手段により取得した識別子が、識別子と識別子を取得した時間とを対応付けて記憶する識別子記憶部に記憶されているかを検知する検知手段と、
前記検知手段により記憶されていると検知すると、前記取得手段により取得した識別子に対応する入場時間を前記識別子記憶部から取得する時間取得手段と、
前記時間取得手段により取得した時間と、施設の使用料金を記憶する料金記憶部とから料金を算出する算出手段と、
前記算出手段により算出された料金を、前記電子マネー記憶媒体から精算する精算手段と、
を有することを特徴とする商品データ処理装置。
【請求項２】
前記検知手段により記憶されていないことを検知すると、前記識別子を取得した時間を計時手段より取得し、前記識別子取得手段により取得した識別子とともに、前記識別子記憶部に記憶する記憶手段と、
を有することを特徴とする商品データ処理装置。
【請求項３】
コンピュータに、
時刻を計時する計時機能と、
電子マネー記憶媒体に記憶する識別子を取得する識別子取得機能と、
前記取得機能により取得した識別子が、識別子と識別子を取得した時間とを対応付けて記憶する識別子記憶部に記憶されているかを検知する検知機能と、
前記検知機能により記憶されていると検知すると、前記取得機能により取得した識別子に対応する入場時間を前記識別子記憶部から取得する時間取得機能と、
前記時間取得機能により取得した時間と、施設の使用料金を記憶する料金記憶部とから料金を算出する算出機能と、
前記算出機能により算出された料金を、前記電子マネー記憶媒体から精算する精算機能と、
を実現させるための商品データ処理装置のプログラム。
【発明の詳細な説明】
【技術分野】
【０００１】
本発明の実施形態はＰＯＳ端末などの商品データ処理装置に関する。
【背景技術】
【０００２】
例えば駐車場や遊園地などで特定のユーザーカードを用いることにより、ユーザーの入出退場を管理する。
【先行技術文献】
【特許文献】
【０００３】
【特許文献１】特開２００４−３２６６７３公報
【発明の概要】
【発明が解決しようとする課題】
【０００４】
しかし、遊園地ごとにユーザーは複数のカードを管理することになり、不便であった。
【課題を解決するための手段】
【０００５】
そこで上記課題を解決するため、本発明の実施形態では次のような手段を講じている。  時刻を計時する計時手段と、電子マネー記憶媒体に記憶する識別子を取得する識別子取得手段と、前記取得手段により取得した識別子が、識別子と識別子を取得した時間とを対応付けて記憶する識別子記憶部に記憶されているかを検知する検知手段と、前記検知手段により記憶されていると検知すると、前記取得手段により取得した識別子に対応する入場時間を前記識別子記憶部から取得する時間取得手段と、前記時間取得手段により取得した時間と、施設の使用料金を記憶する料金記憶部とから料金を算出する算出手段と、前記算出手段により算出された料金を、前記電子マネー記憶媒体から精算する精算手段と、を有することを特徴とする商品データ処理装置である。
【図面の簡単な説明】
【０００６】
【図１】本発明の一実施形態のＰＯＳ端末のブロック図
【図２】本発明の一実施形態の料金ファイルの構成を示す説明図
【図３】本発明の一実施形態の入場時間ファイルの構成を示す説明図
【図４】本発明の一実施形態の商品データ処理のフローチャート
【発明を実施するための形態】
【０００７】
以下に本発明の実施の形態の一例を図面を用いて説明する。なお、本実施の形態では商品データ処理装置の一例としてＰＯＳ端末を例に説明する。
【実施例１】
【０００８】
図１は本実施例で使用するＰＯＳ端末５０のブロック図である。このＰＯＳ端末５０には、演算装置・制御装置としてのＣＰＵ１を設ける。このＣＰＵ１には、アドレスバス、データバスなどのバスライン２を介して、ＲＯＭ３（Ｒｅａｄ  Ｏｎｌｙ  Ｍｅｍｏｒｙ）、ＲＡＭ４（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）コントローラー５、キーボードコントローラー７、客用表示コントローラー９、店用表示コントローラー１１、非接触端末Ｒ／Ｗ（ＲＥＡＤＥＲ／ＷＲＩＴＥＲ）コントローラ１３、プリンタコントローラー１３、タイマー１５、Ｉ／Ｏ（Ｉｎｐｕｔ／Ｏｕｔｐｕｔ）ポート１６を接続する。前述した、これらの各コントローラーには、ＨＤＤ６、キーボード８、客用表示器１０、店用表示器１２、非接触端末Ｒ／Ｗ１４を接続する。また、前記Ｉ／Ｏポート１６には、図示しないモードスイッチとドロワを接続する。
【０００９】
前記ＲＯＭ３には、前記ＣＰＵ１によって読み出されて当該ＣＰＵ１を様々な機能として働かせるプログラムや当該プログラムによるデータ処理の対象となる固定的なデータを格納する。前記ＲＡＭ４には、プログラムによるデータ処理の作業領域となるワークエリアなどの様々なメモリエリアが動的に形成する。
【００１０】
前記ＨＤＤコントローラー５は、前記ＣＰＵ１などからの指令に応じて前記ＨＤＤ６の所定領域に記憶されているデータやプログラムなどを読出し、この読出したデータやプログラムなどを前記バスライン２に送出したり、前記バスライン２から受取ったデータやプログラムなどを前記ＨＤＤ６の所定領域に記憶したり、前記ＨＤＤ６に対するデータなどの読み書きの制御を行う。
【００１１】
前記キーボードコントローラー７は、前記キーボード８からの入力信号を処理し、操作されたキーに対応するキーコードなどを前記バスライン２に送出するものである。このキーボードコントローラー７に接続されているキーボード８は、テンキー、ＰＬＵキー、小計キー、預／現計キー、などを設ける。
【００１２】
前記客用表示コントローラー９は、顧客に対して取引結果などを表示する客用表示器１０を制御し、前記ＣＰＵ１などからの指令に応じて前記バスライン２から受取ったデータなどに基づく情報を客用表示器１０の画面に表示する。同様に、前記店用表示コントローラー１１は、キャッシャに対して取引結果などを表示する店用表示器１２の画面表示を制御する。
【００１３】
前記非接触端末Ｒ／Ｗコントローラ１３は、前記ＣＰＵ１などからの命令に応じて前記非接触端末Ｒ／Ｗ１４は図示しない非接触電子マネー端末から受信したデータを前記バスライン２に送出し、前記バスライン２から受取ったデータを前記非接触端末Ｒ／Ｗ１４を介して図示しない非接触電子マネー端末への送信の制御を行う。また、前記非接触端末Ｒ／Ｗコントローラ１３と前記非接触端末Ｒ／Ｗ２２とが読取り部に相当する。なお、非接触電子マネー端末は、非接触ＩＣカードや、非接触ＩＣカードの機能を搭載した携帯電話などが考えられる。
【００１４】
前記Ｉ／Ｏポート１６は、接続されているモードスイッチから入力された信号に基づいて所定のデータを前記バスラインに出力したり、前記ＣＰＵ１からの指令などに応じて接続されているドロワに起動信号を出力する。また、前記モードスイッチは、「登録」、「点検」、「精算」、などの電子キャッシュレジスタにおける各種業務モードの何れかのモードへと切り替えるための切替えスイッチで、鍵を用いて切替え操作をする。
【００１５】
また、前記ＨＤＤ６には料金ファイル２０と、入場時間ファイル２１とを記憶する。
【００１６】
前記料金ファイル２０には各時間に対応した金額が記憶されている。より、具体的には、時間帯エリア２００１と時間帯エリアに対応する料金エリア２００２とからなる。
【００１７】
入場時間ファイルには、非接触電子マネー端末に記憶されるにＩＤであるＩＤｍに対応付けて、入場時間を記憶する。より具体的にはＩＤｍを記憶するＩＤｍ記憶エリア２１０１と、対応する入場時間エリア２１０２とからなる。
【００１８】
しかして、以上のようなハードウェア構成、ファイル構成からなる前記ＰＯＳ端末５０において、前記ＣＰＵ１は、その動作モードとして「登録」業務が選択されているとき、予め設定されているプログラムに基づいて、図４示すデータ処理を実行する。
【００１９】
まず、Ｓ（ステップ）１として、前記非接触電子マネー端末に記憶するＩＤｍが、前記非接触Ｒ／Ｗ１４を通して読み込まれたか否かを判定する。
【００２０】
前記ＩＤｍが読み込まれていないと判定すると（Ｓ１のＮｏ）、再度Ｓ１の処理を行う。
【００２１】
一方、前記ＩＤｍが読み込まれたと判定すると（Ｓ１のＹｅｓ）、続いて前記入場時間ファイル２１のＩＤｍ記憶エリア２１０１に読み込まれた前記ＩＤｍが記憶されているかを判定する（Ｓ２）。
【００２２】
前記ＩＤｍが前記入場時間ファイル２１のＩＤｍ記憶エリア２１０１に記憶されていないと判定するなら（Ｓ２のＮｏ）、前記タイマー１５から現在の日時を取得する（Ｓ３）。そして、前記Ｓ１にて読み込まれたＩＤｍと前記Ｓ３にて取得した日時と、を対応付けてそれぞれ前記入場時間ファイル２１のＩＤｍ記憶エリア２１０１と入場時間エリア２１０２とに記憶し（Ｓ４）、処理を終了する。
【００２３】
一方、前記ＩＤｍが前記入場時間ファイル２１のＩＤｍ記憶エリア２１０１に記憶されていると判定するなら（Ｓ２のＹｅｓ）、前記入場時間ファイル２１の入場時間エリア２１０２から対応する時間を取得する（Ｓ５）。
【００２４】
そして、取得した入場時間を元に、前記料金ファイル２０の時間帯エリア２００１と対応する料金エリア２００２とから、顧客に請求する料金を取得し、前記客用表示器１０と前記店用表示器１２に表示する（Ｓ６）。
【００２５】
続いて、前記非接触電子マネー端末に記憶する金額情報を、前記非接触Ｒ／Ｗ１４を通して読み取り精算処理を行い（Ｓ７）、処理を終了する。
【００２６】
以上により、本実施例ではＩＤｍを通じて入退場の管理を行うことが可能となる。これにより、顧客は複数のカードを作成する必要がなくなる。また、非接触電子マネー端末で入退場を管理できるので、紙などを印刷する必要がなくなり、店舗は紙を節約することが可能となる。
【００２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２８】
２０  料金ファイル
２１  入場時間ファイル
５０  ＰＯＳ端末
【図１】
2012027625.tif 000003
【図２】
2012027625.tif 000004
【図３】
2012027625.tif 000005
【図４】
2012027625.tif 000006